(57)【要約】【課題】従来、簡易かつ適切に行政書士業務を遂行するプラットフォームが存在しなかった。【解決手段】行政書士を識別する行政書士識別子と行政書士を証明する証明書情報とを有する１以上の行政書士情報を格納する行政書士情報格納部と、行政書士の端末装置から行政書士識別子と登録対象の書類の情報である登録書類情報とを有する入力情報を受信する受信部と、受信した入力情報が有する行政書士識別子を用いた認証処理を行う認証処理部と、認証結果が認証許可である場合に、受信した行政書士識別子と対になる証明書情報を用いて、受信した登録書類情報に対する処理を行う書類処理部とを具備するサーバ装置により、簡易かつ適切に行政書士業務を遂行するプラットフォームを提供できる。【選択図】図２
2018025853.tif 000002
【特許請求の範囲】
【請求項１】
行政書士を識別する行政書士識別子と行政書士を証明する証明書情報とを有する１または２以上の行政書士情報を格納する行政書士情報格納部と、
行政書士の端末装置から行政書士識別子と登録対象の書類の情報である登録書類情報とを有する入力情報を受信する受信部と、
前記受信部が受信した入力情報が有する行政書士識別子を用いた認証処理を行う認証処理部と、
前記認証処理部における認証の結果が認証許可である場合に、前記受信部が受信した行政書士識別子と対になる証明書情報を用いて、前記受信部が受信した登録書類情報に対する処理を行う書類処理部とを具備するサーバ装置。
【請求項２】
前記書類処理部は、
前記登録書類情報を用いて帳票を構成する帳票構成手段を具備し、
前記帳票構成手段が構成した帳票を前記端末装置に送信する帳票送信部をさらに具備し、
登録書類情報に対応する書類に関与する関係者を識別する１以上の関係者識別子が格納される関係者識別子格納部と、
前記受信部が受信した登録書類情報の中に含まれる関係者識別子を取得し、当該関係者識別子が前記関係者識別子格納部に格納されているか否かを判断する判断部と、
前記判断部が、前記関係者識別子が前記関係者識別子格納部に格納されていると判断した場合と、前記関係者識別子が前記関係者識別子格納部に格納されていないと判断した場合とで、前記帳票構成手段が構成する帳票の内容が異なる請求項１記載のサーバ装置。
【請求項３】
前記判断部が、前記関係者識別子が前記関係者識別子格納部に格納されていると判断した場合には、前記帳票構成手段は行政書士のサイン画像を含まない帳票を構成し、前記関係者識別子が前記関係者識別子格納部に格納されていないと判断した場合には、前記帳票構成手段は行政書士のサイン画像を含む帳票を構成する請求項２記載のサーバ装置。
【請求項４】
前記行政書士情報は、
行政書士のサイン画像を構成する情報を有する請求項３記載のサーバ装置。
【請求項５】
前記受信部は、
対象物の移転登録の情報入力の指示であり、移転登録の対象物を識別する対象物識別子を含む指示である移転登録指示を端末装置から受信し、
対象物の移転登録の情報であり、対象物識別子を含む１以上の移転登録情報が格納される移転登録情報格納部と、
前記移転登録指示が有する対象物識別子に対応する移転登録情報であり、最近の移転登録情報が有する予め決められた属性値を取得し、当該属性値を、当該属性値の属性とは異なる属性の属性値として含む画面情報を構成する画面情報構成部と、
前記画面情報を前記端末装置に送信する画面情報送信部とをさらに具備する請求項１から請求項４いずれか一項に記載のサーバ装置。
【請求項６】
記録媒体は、
行政書士を識別する行政書士識別子と行政書士を証明する証明書情報とを有する１または２以上の行政書士情報を格納する行政書士情報格納部を具備し、
受信部、認証処理部、および書類処理部により実現される情報処理方法であって、
前記受信部が、行政書士の端末装置から行政書士識別子と登録対象の書類の情報である登録書類情報とを有する入力情報を受信する受信ステップと、
前記認証処理部が、前記受信ステップで受信された入力情報が有する行政書士識別子を用いた認証処理を行う認証処理ステップと、
前記書類処理部が、前記認証処理ステップにおける認証の結果が認証許可である場合に、前記受信部が受信した行政書士識別子と対になる証明書情報を用いて、前記受信ステップで受信された登録書類情報に対する処理を行う書類処理ステップとを具備する情報処理方法。
【請求項７】
コンピュータがアクセス可能な記録媒体は、
行政書士を識別する行政書士識別子と行政書士を証明する証明書情報とを有する１または２以上の行政書士情報を格納する行政書士情報格納部を具備し、
コンピュータを、
行政書士の端末装置から行政書士識別子と登録対象の書類の情報である登録書類情報とを有する入力情報を受信する受信部と、
前記受信部が受信した入力情報が有する行政書士識別子を用いた認証処理を行う認証処理部と、
前記認証処理部における認証の結果が認証許可である場合に、前記受信部が受信した行政書士識別子と対になる証明書情報を用いて、前記受信部が受信した登録書類情報に対する処理を行う書類処理部として機能させるためのプログラム。
【発明の詳細な説明】
【技術分野】
【０００１】
本発明は、行政書士が行う業務を適切に遂行するための行政書士システムを構成するサーバ装置等に関するものである。
【背景技術】
【０００２】
従来、ディーラーの利便性を向上させ、遠隔地の陸運支局での自動車登録を迅速かつ簡易に行うことができる自動車売買取引システムがあった（例えば、特許文献１参照）。
【０００３】
本システムは、ディーラー端末からユーザの住所とユーザ希望の登録予定日を入力すると、自動車登録支援サーバが、該当する陸運支局と関連する現地行政書士の候補をディーラー端末に表示させ、運送会社による運送依頼を行う場合には、運送の出発地の入力があると、出発地、ユーザの住所及び登録予定日に基づいて運送会社サーバから登録予定日に自動車の搬送可能な運送会社と料金をディーラー端末に表示させ、保険代行手続を現地行政書士又はポータルサイト側の行政書士に依頼する自動車登録支援システムである。つまり、本システムは、ディーラーの作業を支援するプラットフォームであった。
【０００４】
また、従来、中古車輌売買、車輌廃車及び車検切れ車輌の処理に伴い発生する権利の移転登録等についての煩雑な書類手続業務を請負うシステムがあった（例えば、特許文献２参照）。
【先行技術文献】
【特許文献】
【０００５】
【特許文献１】特開２０１６−１１９０９４号公報
【特許文献２】特開２００４−１３８７２号公報
【発明の概要】
【発明が解決しようとする課題】
【０００６】
しかしながら、従来技術においては、証明書情報を用いて、簡易かつ適切に行政書士業務を遂行するプラットフォームが存在しなかった。
【課題を解決するための手段】
【０００７】
本第一の発明のサーバ装置は、行政書士を識別する行政書士識別子と行政書士を証明する証明書情報とを有する１または２以上の行政書士情報を格納する行政書士情報格納部と、行政書士の端末装置から行政書士識別子と登録対象の書類の情報である登録書類情報とを有する入力情報を受信する受信部と、受信部が受信した入力情報が有する行政書士識別子を用いた認証処理を行う認証処理部と、認証処理部における認証の結果が認証許可である場合に、受信部が受信した行政書士識別子と対になる証明書情報を用いて、受信部が受信した登録書類情報に対する処理を行う書類処理部とを具備するサーバ装置である。
【０００８】
かかる構成により、行政書士を証明する証明書情報を管理し、利用することにより、簡易かつ適切に行政書士業務を遂行するプラットフォームを提供できる。
【０００９】
また、本第二の発明のサーバ装置は、第一の発明に対して、書類処理部は、登録書類情報を用いて帳票を構成する帳票構成手段を具備し、帳票構成手段が構成した帳票を端末装置に送信する帳票送信部をさらに具備し、登録書類情報に対応する書類に関与する関係者を識別する１以上の関係者識別子が格納される関係者識別子格納部と、受信部が受信した登録書類情報の中に含まれる関係者識別子を取得し、関係者識別子が関係者識別子格納部に格納されているか否かを判断する判断部と、判断部が、関係者識別子が関係者識別子格納部に格納されていると判断した場合と、関係者識別子が関係者識別子格納部に格納されていないと判断した場合とで、帳票構成手段が構成する帳票の内容が異なるサーバ装置である。
【００１０】
かかる構成により、特定の関係者の登録書類情報を処理する場合と、一般の登録書類情報を処理する場合とで、適切な異なる帳票を自動的に構成できる。
【００１１】
また、本第三の発明のサーバ装置は、第二の発明に対して、判断部が、関係者識別子が関係者識別子格納部に格納されていると判断した場合には、帳票構成手段は行政書士のサイン画像を含まない帳票を構成し、関係者識別子が関係者識別子格納部に格納されていないと判断した場合には、帳票構成手段は行政書士のサイン画像を含む帳票を構成するサーバ装置である。
【００１２】
かかる構成により、特定の関係者の登録書類情報を処理する場合と、一般の登録書類情報を処理する場合とで、適切な異なる帳票を自動的に構成できる。
【００１３】
また、本第四の発明のサーバ装置は、第三の発明に対して、行政書士情報は、行政書士のサイン画像を構成する情報を有するサーバ装置である。
【００１４】
かかる構成により、特定の関係者の登録書類情報を処理する場合と、一般の登録書類情報を処理する場合とで、適切な異なる帳票を自動的に構成できる。
【００１５】
また、本第五の発明のサーバ装置は、第一から第四いずれか１つの発明に対して、受信部は、対象物の移転登録の情報入力の指示であり、移転登録の対象物を識別する対象物識別子を含む指示である移転登録指示を端末装置から受信し、対象物の移転登録の情報であり、対象物識別子を含む１以上の移転登録情報が格納される移転登録情報格納部と、移転登録指示が有する対象物識別子に対応する移転登録情報であり、最近の移転登録情報が有する予め決められた属性値を取得し、属性値を、属性値の属性とは異なる属性の属性値として含む画面情報を構成する画面情報構成部と、画面情報を端末装置に送信する画面情報送信部とをさらに具備するサーバ装置である。
【００１６】
かかる構成により、容易に対象物の移転登録の書類が作成できる。
【発明の効果】
【００１７】
本発明によるサーバ装置によれば、行政書士を証明する証明書情報を管理し、利用することにより、簡易かつ適切に行政書士業務を遂行するプラットフォームを提供できる。
【図面の簡単な説明】
【００１８】
【図１】実施の形態１における行政書士システムＡの概念図
【図２】同行政書士システムＡのブロック図
【図３】同サーバ装置１の動作について説明するフローチャート
【図４】同登録書類情報処理の例について説明するフローチャート
【図５】同署名処理の例について説明するフローチャート
【図６】同署名確認処理の例について説明するフローチャート
【図７】同帳票を構成するための画面元情報を示す図
【図８】同行政書士情報管理表を示す図
【図９】同移転登録情報管理表を示す図
【図１０】同関係者識別子管理表を示す図
【図１１】同帳票の例を示す図
【図１２】同帳票の例を示す図
【図１３】同コンピュータシステムの概観図
【図１４】同コンピュータシステムのブロック図
【発明を実施するための形態】
【００１９】
以下、行政書士システム、および行政書士システムを構成するサーバ装置等の実施形態について図面を参照して説明する。なお、実施の形態において同じ符号を付した構成要素は同様の動作を行うので、再度の説明を省略する場合がある。
【００２０】
（実施の形態１）
【００２１】
本実施の形態において、行政書士システムを構成するサーバ装置において、行政書士の証明書情報を行政書士識別子と対応付けて管理している。そして、サーバ装置が行政書士の端末装置から行政書士識別子とパスワード等を含む登録情報を受信した場合、その情報を認証し、認証許可である場合、その登録情報を蓄積する行政書士システムについて説明する。
【００２２】
また、本実施の形態において、受信した登録情報の中の、予め決められたユーザの名称が所定の属性値（例えば、購入者や譲受人の属性値）に存在する場合、と存在しない場合とで、行政書士のサイン画像を含む帳票が構成されたり、行政書士のサイン画像を含まない帳票が構成されたりする行政書士システムについて説明する。
【００２３】
さらに、本実施の形態において、直前の移転登録情報を有効に利用して、移転登録の帳票作成を効率的に行う行政書士システムについて説明する。
【００２４】
図１は、本実施の形態における行政書士システムＡの概念図である。行政書士システムＡは、サーバ装置１、１または２以上の端末装置２を備える。サーバ装置１は、ＡＳＰのサーバ、クラウドサーバ等、その種類は問わない。端末装置２は、通常、行政書士が使用する端末である。端末装置２は、例えば、いわゆるスマートフォン、携帯電話、携帯端末、パーソナルコンピュータ、ノートパソコン、タブレット端末等であり、その種類は問わない。
【００２５】
図２は、本実施の形態における行政書士システムＡのブロック図である。行政書士システムＡを構成するサーバ装置１は、格納部１１、受信部１２、処理部１３、および送信部１４を備える。
【００２６】
格納部１１は、画面元情報格納部１１１、行政書士情報格納部１１２、移転登録情報格納部１１３、および関係者識別子格納部１１４を備える。
【００２７】
処理部１３は、画面情報構成部１３１、認証処理部１３２、判断部１３３、書類処理部１３４、署名処理部１３５を備える。書類処理部１３４は、および帳票構成手段１３４１を備える。
【００２８】
送信部１４は、画面情報送信部１４１、および帳票送信部１４２を備える。
【００２９】
端末装置２は、端末格納部２１、端末受付部２２、端末処理部２３、端末送信部２４、端末受信部２５、および端末出力部２６を備える。
【００３０】
サーバ装置１を構成する格納部１１は、各種の情報が格納される。各種の情報とは、後述する画面元情報、行政書士情報、移転登録情報、関係者識別子等である。
【００３１】
画面元情報格納部１１１は、１または２以上の画面元情報が格納される。画面元情報は、画面を構成する元となる情報である。画面元情報は、例えば、ＸＭＬ、ＨＴＭＬなどのスクリプトで構成されていても良いし、画面を構成するためのプログラムでも良いし、画面を構成する画像とプログラム等でも良い。つまり、画面元情報の実現手段や構造等は問わない。
【００３２】
行政書士情報格納部１１２は、１または２以上の行政書士情報が格納される。行政書士情報は、行政書士に関する情報である。行政書士情報は、行政書士であるユーザの情報である。行政書士情報は、行政書士を識別する行政書士識別子と行政書士を証明する証明書情報とを有する。行政書士情報は、行政書士のサイン画像を構成する情報を有することは好適である。行政書士情報とは、通常、パスワードを有する。証明書情報とは、例えば、行政書士電子証明書の情報である。証明書情報は、通常、行政書士が特定の処理をコンピュータを用いて行う場合に必要な情報である。証明書情報は、例えば、秘密鍵、公開鍵を有する。行政書士情報は、行政書士の氏名、住所、電話番号等の情報を有しても良い。
【００３３】
移転登録情報格納部１１３は、１または２以上の移転登録情報が格納される。移転登録情報は、対象物の移転登録の情報であり、通常、対象物を識別する対象物識別子を含む。移転登録情報は、対象物の登録の情報でも良い。対象物とは、例えば、自動車、車庫、保険等である。また、移転登録情報は、例えば、旧所有者を示す旧所有者情報、新所有者を示す新所有者情報、新使用者を示す新使用者情報、発注日時を示す発注日時情報、登録の処理の完了の日時を示す完了日時情報等を有する。
【００３４】
関係者識別子格納部１１４は、１または２以上の関係者識別子が格納される。関係者識別子は、登録書類情報に対応する書類に関与する関係者を識別する情報である。関係者識別子は、予め決められた属性（例えば、旧所有者、新所有者、新使用者など）に対応する情報である。関係者識別子格納部１１４に格納される関係者識別子は、自社で移転登録の処理を行うという企業を識別する企業識別子（企業名、企業ＩＤなど）である。
【００３５】
受信部１２は、各種の情報や指示等を端末装置２から受信する。各種の情報や指示等とは、例えば、入力情報、行政書士情報の全部または一部、移転登録指示、署名確認指示等である。入力情報は、例えば、行政書士識別子と登録書類情報とを有する。登録書類情報は、登録対象の書類の情報である。登録書類情報は、例えば、自動車申請登録の情報、自賠責保険の申請の情報、車庫証明の申請の情報等である。移転登録指示は、対象物の移転登録の情報入力の指示である。移転登録指示は、移転登録の対象物を識別する対象物識別子を含む。署名確認指示とは、署名の確認の指示であり、登録書類情報を識別する識別子を有する。  処理部１３は、各種の処理を行う。各種の処理とは、例えば、画面情報構成部１３１、認証処理部１３２、判断部１３３、書類処理部１３４等が行う処理である。各種の処理とは、例えば、受信部１２が受信した情報の格納部１１への蓄積である。
【００３６】
画面情報構成部１３１は、画面情報を構成する。画面情報構成部１３１は、移転登録指示が有する対象物識別子に対応する移転登録情報の中の最近の移転登録情報が有する予め決められた属性値（例えば、新所有者または新使用者の属性値）を取得し、当該属性値を、当該属性値の属性とは異なる属性（例えば、旧所有者）の属性値として含む画面情報を構成する。対象物識別子は、例えば、登録番号、車台番号等である。画面情報構成部１３１は、画面元情報格納部１１１に画面元情報を用いて、画面情報を構成する。画面情報構成部１３１は、画面元情報格納部１１１に画面元情報から構成される画面に、予め決められた属性値（例えば、新所有者または新使用者の属性値）が、当該属性値の属性とは異なる属性（例えば、旧所有者）の欄に代入されるような画面情報を構成する。なお、予め決められた属性値は、移転登録指示が有する対象物識別子に対応する移転登録情報の中の最近の移転登録情報が有する予め決められた属性値である。また、画面情報構成部１３１は、移転登録指示が有する対象物識別子に対応する移転登録情報の中の最近の移転登録情報が有する予め決められた属性値（例えば、登録番号、車台番号など）を取得し、当該属性値を、当該属性値の属性と同じ属性の属性値として含む画面情報を構成することは好適である。
【００３７】
認証処理部１３２は、受信部１２が受信した入力情報が有する行政書士識別子を用いた認証処理を行う。認証処理部１３２は、受信部１２が受信した入力情報が有する行政書士識別子が、行政書士情報格納部１１２に格納されているか否かを判断し、格納されている場合は、認証許可の認証結果を取得し、格納されていない場合は、認証不許可の認証結果を取得しても良い。また、認証処理部１３２は、受信部１２が受信した入力情報が有する行政書士識別子とパスワードの組が、行政書士情報格納部１１２に格納されているか否かを判断し、格納されている場合は、認証許可の認証結果を取得し、格納されていない場合は、認証不許可の認証結果を取得しても良い。
【００３８】
判断部１３３は、受信部１２が受信した登録書類情報の中に含まれる関係者識別子を取得し、関係者識別子が関係者識別子格納部１１４に格納されているか否かを判断する。なお、関係者識別子は、通常、予め決められた特定の１以上の属性の情報である。特定の１以上の属性とは、例えば、新所有者または新使用者である。特定の１以上の属性とは、例えば、旧所有者である。
【００３９】
書類処理部１３４は、認証処理部１３２の認証処理の結果が認証許可である場合に、受信部１２が受信した行政書士識別子と対になる証明書情報を用いて、受信部１２が受信した登録書類情報に対する処理を行う。登録書類情報に対する処理とは、例えば、登録書類情報の蓄積処理、登録書類情報を用いて帳票を構成する処理、構成した帳票の送信処理などである。登録書類情報に対する処理は、通常、証明書情報を用いないと遂行できない処理である。
【００４０】
帳票構成手段１３４１は、受信部１２が受信した登録書類情報を用いて帳票を構成する。判断部１３３が、関係者識別子が関係者識別子格納部１１４に格納されていると判断した場合と、関係者識別子が関係者識別子格納部１１４に格納されていないと判断した場合とで、帳票構成手段１３４１が構成する帳票の内容が異なる。帳票の内容が異なることは、例えば、行政書士のサイン画像を含む場合と含まない場合があることである。帳票の内容が異なることは、例えば、行政書士名を含む場合と含まない場合があることである。帳票の内容が異なることは、例えば、特定の一の属性値が存在する場合、存在しない場合があることである。
【００４１】
判断部１３３が、関係者識別子が関係者識別子格納部１１４に格納されていると判断した場合には、帳票構成手段１３４１は行政書士のサイン画像を含まない帳票を構成する。また、判断部１３３が、関係者識別子が関係者識別子格納部１１４に格納されていないと判断した場合には、帳票構成手段１３４１は行政書士のサイン画像を含む帳票を構成する。なお、サイン画像は、行政書士情報格納部１１２に予め格納さえていても良いし、受信部１２が受信した登録書類情報に含まれていても良い。
【００４２】
署名処理部１３５は、署名の処理を行う。また、署名処理部１３５は、受信された署名確認指示に応じて、署名の確認の処理を行う。
【００４３】
署名の処理とは、証明書情報を用いた行政書士の署名の処理である。つまり、署名の処理とは、一の行政書士が書類の作成を行ったことを証明するための処理であり、証明書情報を用いた処理である。署名の処理は、例えば、以下のような処理である。つまり、署名処理部１３５は、第一に、予め決められたハッシュ関数を用いて、登録書類情報のハッシュ値を算出する。第二に、署名処理部１３５は、は、当該ハッシュ値を、証明書情報の秘密鍵を用いて暗号化する。なお、ここでは、証明書情報は、秘密鍵を有する情報である。第三に、署名処理部１３５は、暗号化されたハッシュ値を、登録書類情報に対応付けて格納部１１に蓄積する。なお、登録書類情報、暗号化されたハッシュ値は、ファイルでも、ＤＢのレコード等でも良く、そのデータ構造は問わない。また、複数の登録書類情報が一度に受信された場合、各登録書類情報に対して、上記の第一から第三の処理が行われる。
【００４４】
署名の確認の処理とは、登録書類情報に対して、適正に署名の処理が行われたか否かを判断する処理である。署名の確認の処理も、証明書情報を用いた処理である。署名の確認の処理は、例えば、以下のような処理である。つまり、署名処理部１３５は、例えば、第一に、署名確認指示が有する登録書類情報の識別子に対応する登録書類情報を格納部１１から取得する。そして、第二に、署名処理部１３５は、取得した登録書類情報のハッシュ値（ハッシュ値Ａとする）を算出する。第三に、署名処理部１３５は、当該登録書類情報に対応付いている暗号化したハッシュ値を取得し、証明書情報を用いて復号化する（復号化されたハッシュ値をハッシュ値Ｂとする）。第四に、署名処理部１３５は、ハッシュ値Ａとハッシュ値Ｂを比較し、一致すれば証明書情報で署名された、と判断する。なお、ハッシュ値Ａとハッシュ値Ｂとが一致しない場合、署名処理部１３５は、暗号化したハッシュ値を削除する、または不適正な署名であることを示すフラグを付加する等しても良い。  送信部１４は、各種の情報を端末装置２に送信する。各種の情報をとは、例えば、画面情報、帳票、エラーメッセージ等である。送信部１４は、署名確認指示を送信した端末に、署名処理部１３５の判断結果を送信する。判断結果とは、例えば、適正な署名がなされている旨、または不適正な署名がなされている旨等である。
【００４５】
画面情報送信部１４１は、画面情報構成部１３１が構成した画面情報を端末装置２に送信する。
【００４６】
帳票送信部１４２は、帳票構成手段１３４１が構成した帳票を端末装置２に送信する。
【００４７】
端末装置２を構成する端末格納部２１には、各種の情報が格納される。各種の情報とは、例えば、行政書士識別子、パスワード等である。
【００４８】
端末受付部２２は、各種の情報や指示等を受け付ける。各種の情報や指示等とは、例えば、登録情報を構成する情報である。
【００４９】
各種の情報や指示等の入力手段は、キーボードやマウスやメニュー画面によるもの等、何でも良い。端末受付部２２は、キーボード等の入力手段のデバイスドライバーや、メニュー画面の制御ソフトウェア等で実現され得る。
【００５０】
端末処理部２３は、各種の処理を行う。各種の処理とは、サーバ装置１に送信する情報や指示等を構成する処理である。
【００５１】
端末送信部２４は、各種の情報や指示等をサーバ装置１に送信する。各種の情報や指示等とは、例えば、入力情報、移転登録指示等である。
【００５２】
端末受信部２５は、各種の情報を受信する。各種の情報とは、例えば、画面情報、帳票である。
【００５３】
端末出力部２６は、各種の情報を出力する。各種の情報とは、端末受信部２５が受信した情報、端末受付部２２が受け付けた情報等である。
【００５４】
ここで、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。
【００５５】
格納部１１、画面元情報格納部１１１、行政書士情報格納部１１２、移転登録情報格納部１１３、関係者識別子格納部１１４、および端末格納部２１は、不揮発性の記録媒体が好適であるが、揮発性の記録媒体でも実現可能である。
【００５６】
格納部１１等に情報が記憶される過程は問わない。例えば、記録媒体を介して情報が格納部１１等で記憶されるようになってもよく、通信回線等を介して送信された情報が格納部１１等で記憶されるようになってもよく、あるいは、入力デバイスを介して入力された情報が格納部１１等で記憶されるようになってもよい。
【００５７】
受信部１２、および端末受信部２５は、通常、無線または有線の通信手段で実現されるが、放送を受信する手段で実現されても良い。
【００５８】
処理部１３、画面情報構成部１３１、認証処理部１３２、判断部１３３、書類処理部１３４、帳票構成手段１３４１、および端末処理部２３は、通常、ＭＰＵやメモリ等から実現され得る。処理部１３の処理手順は、通常、ソフトウェアで実現され、当該ソフトウェアはＲＯＭ等の記録媒体に記録されている。但し、ハードウェア（専用回路）で実現しても良い。
【００５９】
送信部１４、画面情報送信部１４１、帳票送信部１４２、および端末送信部２４は、通常、無線または有線の通信手段で実現されるが、放送手段で実現されても良い。
【００６０】
端末出力部２６は、ディスプレイやスピーカー等の出力デバイスを含むと考えても含まないと考えても良い。端末出力部２６は、出力デバイスのドライバーソフトまたは、出力デバイスのドライバーソフトと出力デバイス等で実現され得る。
【００６１】
次に、行政書士システムＡの動作について説明する。まず、サーバ装置１の動作について、図３のフローチャートを用いて説明する。
【００６２】
（ステップＳ３０１）受信部１２は、行政書士情報を端末装置２から受信したか否かを判断する。行政書士情報を受信した場合はステップＳ３０２に行き、受信しない場合はステップＳ３０３に行く。なお、ここで受信する行政書士情報は、行政書士情報の全部でも良いし、一部でも良い。
【００６３】
（ステップＳ３０２）処理部１３は、ステップＳ３０１で受信された行政書士情報を行政書士情報格納部１１２に蓄積する。ステップＳ３０１に戻る。
【００６４】
（ステップＳ３０３）受信部１２は、入力情報を端末装置２から受信したか否かを判断する。入力情報を受信した場合はステップＳ３０４に行き、受信しない場合はステップＳ３１４に行く。
【００６５】
（ステップＳ３０４）認証処理部１３２は、受信部１２が受信した入力情報が有する行政書士識別子等を取得する。行政書士識別子等とは、認証に用いる情報であり、行政書士識別子を含む。行政書士識別子等とは、例えば、行政書士識別子とパスワードである。ここで、認証処理部１３２は、通常、行政書士識別子等を、受信部１２が受信した入力情報から取得するが、受信部１２が入力情報を受信する前に既に格納部１１に格納されている情報（例えば、ユーザがサーバ装置１にログインするために端末装置２に入力し、端末装置２からサーバ装置１に送信され、格納部１１に蓄積された情報）から取得しても良い。
【００６６】
（ステップＳ３０５）認証処理部１３２は、ステップＳ３０４で取得した行政書士識別子等を用いた認証処理を行う。
【００６７】
（ステップＳ３０６）書類処理部１３４は、ステップＳ３０５における認証処理の結果が認証許可であるか否かを判断する。認証許可である場合はステップＳ３０７に行き、認証許可でない場合はステップＳ３１２に行く。
【００６８】
（ステップＳ３０７）書類処理部１３４は、ステップＳ３０４で取得した行政書士識別子に対応する証明書情報を行政書士情報格納部１１２から取得しようとする。なお、ここで、書類処理部１３４は、証明書情報を取得できない場合があっても良い。
【００６９】
（ステップＳ３０８）書類処理部１３４は、ステップＳ３０７で証明書情報を取得できたか否かを判断する。証明書情報を取得できた場合はステップＳ３０９に行き、証明書情報を取得できなかった場合はステップＳ３１１に行く。
【００７０】
（ステップＳ３０９）書類処理部１３４は、ステップＳ３０３で受信された入力情報から登録書類情報を取得する。
【００７１】
（ステップＳ３１０）書類処理部１３４は、ステップＳ３０８で取得した証明書情報を用いて、ステップＳ３０９で取得した登録書類情報に対する処理を行う。ステップＳ３０１に戻る。登録書類情報に対する処理である登録書類情報処理の例について、図４のフローチャートを用いて説明する。
【００７２】
（ステップＳ３１１）署名処理部１３５は、登録書類情報に対して、署名の処理を行う。署名処理の例について、図５のフローチャートを用いて説明する。
【００７３】
（ステップＳ３１２）書類処理部１３４は、証明書情報が取得できなかった旨のエラーメッセージを構成する。そして、送信部１４は、構成されたエラーメッセージを端末装置２に送信する。
【００７４】
（ステップＳ３１３）書類処理部１３４は、認証結果が認証不許可であった旨のエラーメッセージを構成する。そして、送信部１４は、構成されたエラーメッセージを端末装置２に送信する。
【００７５】
（ステップＳ３１４）受信部１２は、移転登録指示を受信したか否かを判断する。移転登録指示を受信した場合はステップＳ３１５に行き、移転登録指示を受信しなかった場合はステップＳ３２２に行く。
【００７６】
（ステップＳ３１５）画面情報構成部１３１は、ステップＳ３１４で受信された移転登録指示が有する対象物識別子を取得する。そして、画面情報構成部１３１は、当該対象物識別子に対応する最新の（最近の）移転登録情報を移転登録情報格納部１１３から取得しようとする。なお、ここで、最新の移転登録情報が取得できない場合もある。
【００７７】
（ステップＳ３１６）画面情報構成部１３１は、ステップＳ３１５で最新の移転登録情報が取得できたか否かを判断する。最新の移転登録情報が取得できた場合はステップＳ３１７に行き、最新の移転登録情報が取得できなかった場合はステップＳ３２０に行く。
【００７８】
（ステップＳ３１７）画面情報構成部１３１は、移転登録指示が有する対象物識別子に対応する移転登録情報の中の最近の移転登録情報が有する予め決められた属性の属性値（例えば、新所有者）を取得する。
【００７９】
（ステップＳ３１８）画面情報構成部１３１は、画面元情報格納部１１１に格納されている画面元情報を取得する。なお、この画面元情報は、移転登録指示に対応する画面元情報である。そして、画面情報構成部１３１は、取得した画面元情報で構成される画面に、ステップＳ３１７で取得した属性値を代入した画面を構成する画面情報を構成する。なお、画面情報構成部１３１は、最新の移転登録情報が有する予め決められた属性値（例えば、登録番号）を取得し、当該属性値を、当該属性値の属性と同じ属性の属性値として、さらに含む画面情報を構成しても良い。
【００８０】
（ステップＳ３１９）送信部１４は、ステップＳ３１８で構成された画面情報を端末装置２に送信する。ステップＳ３０１に戻る。
【００８１】
（ステップＳ３２０）画面情報構成部１３１は、画面元情報格納部１１１に格納されている画面元情報を取得する。そして、画面情報構成部１３１は、取得した画面元情報を用いて、画面情報を構成する。
【００８２】
（ステップＳ３２１）送信部１４は、ステップＳ３２０で構成された画面情報を端末装置２に送信する。ステップＳ３０１に戻る。
【００８３】
（ステップＳ３２２）受信部１２は、署名確認指示を図示しない端末から受信したか否かを判断する。署名確認指示を受信した場合はステップＳ３２３に行き、受信しない場合はステップＳ３０１に戻る。
【００８４】
（ステップＳ３２３）署名処理部１３５は、署名の確認の処理を行う。ステップＳ３０１に戻る。なお、署名確認処理について、図６のフローチャートを用いて説明する。
【００８５】
なお、図３のフローチャートにおいて、電源オフや処理終了の割り込みにより処理は終了する。
【００８６】
次に、ステップＳ３１０の登録書類情報処理の例について、図４のフローチャートを用いて説明する。
【００８７】
（ステップＳ４０１）判断部１３３は、受信された登録書類情報から特定の１または２以上の属性値を取得する。なお、取得する属性値は、通常、関係者識別子に関係する情報である。
【００８８】
（ステップＳ４０２）判断部１３３は、ステップＳ４０１で取得した１以上の属性値が関係者識別子格納部１１４に格納されているか否かを判断する。
【００８９】
（ステップＳ４０３）関係者識別子格納部１１４に格納されている場合はステップＳ４０６に行き、関係者識別子格納部１１４に格納されていない場合はステップＳ４０４に行く。
【００９０】
（ステップＳ４０４）帳票構成手段１３４１は、受信された登録書類情報が有する行政書士識別子と対になるサイン画像を行政書士情報格納部１１２から取得する。
【００９１】
（ステップＳ４０５）帳票構成手段１３４１は、ステップＳ４０３で取得したサイン画像と、受信された登録書類情報とを用いて、サイン画像を含む帳票を構成する。
【００９２】
（ステップＳ４０６）帳票構成手段１３４１は、受信された登録書類情報を用いて、サイン画像を含まない帳票を構成する。
【００９３】
（ステップＳ４０７）送信部１４は、ステップＳ４０５またはステップＳ４０６で構成された帳票を端末装置２に送信する。
【００９４】
ステップＳ３１１の署名処理の例について、図５のフローチャートを用いて説明する。
【００９５】
（ステップＳ５０１）署名処理部１３５は、予め決められたハッシュ関数を用いて、登録書類情報のハッシュ値を算出する。
【００９６】
（ステップＳ５０２）署名処理部１３５は、ステップＳ５０１で算出したハッシュ値を、証明書情報の秘密鍵を用いて暗号化する。なお、この証明書情報は、ステップＳ４０１で受信された入力情報が有する行政書士識別子と対になる証明書情報である。
【００９７】
（ステップＳ５０３）署名処理部１３５は、ステップＳ５０２で暗号化されたハッシュ値を、登録書類情報に対応付けて格納部１１に蓄積する。上位処理にリターンする。
【００９８】
ステップＳ３２３の署名確認処理の例について、図６のフローチャートを用いて説明する。
【００９９】
（ステップＳ６０１）署名処理部１３５は、署名確認指示が有する登録書類情報の識別子に対応する登録書類情報を格納部１１から取得する。
【０１００】
（ステップＳ６０２）署名処理部１３５は、ステップＳ６０１で取得した登録書類情報のハッシュ値（ハッシュ値Ａとする）を算出する。
【０１０１】
（ステップＳ６０３）署名処理部１３５は、当該登録書類情報に対応付いている暗号化したハッシュ値を取得する。
【０１０２】
（ステップＳ６０４）署名処理部１３５は、ステップＳ６０３で取得した暗号化したハッシュ値を、証明書情報を用いて復号化し、ハッシュ値（ハッシュ値Ｂ）を得る。
【０１０３】
（ステップＳ６０５）署名処理部１３５は、ハッシュ値Ａとハッシュ値Ｂを比較し、一致するか否かを判断する。一致する場合はステップＳ６０６に行き、一致しない場合はステップＳ６０７に行く。
【０１０４】
（ステップＳ６０６）送信部１４は、適正な署名がなされている旨の情報を端末に送信する。上位処理にリターンする。
【０１０５】
（ステップＳ６０７）送信部１４は、不適正な署名がなされている旨の情報を端末に送信する。上位処理にリターンする。
【０１０６】
次に、端末装置２の動作について説明する。端末受付部２２は、行政書士等のユーザから各種の情報や指示等を受け付ける。そして、端末処理部２３は、受け付けられた各種の情報や指示等から、送信する各種の情報や指示等を構成する。次に、端末送信部２４は、構成された各種の情報や指示等をサーバ装置１に送信する。端末受信部２５は、サーバ装置１から各種の情報を受信する。そして、端末出力部２６は、端末受信部２５が受信した各種の情報を出力する。
【０１０７】
以下、本実施の形態における行政書士システムＡの具体的な動作について説明する。行政書士システムＡの概念図は図１である。
【０１０８】
今、画面元情報格納部１１１には、図７に示す帳票を構成するための画面元情報（帳票の元になる情報である帳票元情報と言っても良い）が格納されている、とする。また、画面元情報格納部１１１には、登録書類情報を入力する画面の元になる情報が格納されている、とする。
【０１０９】
また、行政書士情報格納部１１２は、図８に示す行政書士情報管理表が格納されている、とする。行政書士情報管理表は、「行政書士識別子」「パスワード」「サイン」「証明書情報」「氏名」「住所」「電話番号」の属性値を有する１以上のレコードが格納される。「サイン」には、サイン画像が格納される。
【０１１０】
また、移転登録情報格納部１１３は、図９に示す移転登録情報管理表が格納されている。なお、ここでの移転登録の対象物は、自動車である、とする。そして、移転登録情報管理表は、「ＩＤ」「状態」「店舗」「登録番号」「車台番号」「旧所有者」「新所有者」「新使用者」「発注日時」「受託日時」「完了日時」の属性値を有する１以上のレコードが格納される。「ＩＤ」はレコードを識別する情報である。「状態」は移転登録の状態を示す。「店舗」は移転登録を承った店舗名が入力される。「登録番号」は自動車の登録番号である。「車台番号」は自動車の車台番号である。「旧所有者」は自動車の前の所有者である。「新所有者」は自動車の新しい所有者である。「新使用者」は自動車の新しい使用者である。「発注日時」は移転登録が発注された日時である。「受託日時」は移転登録が受託された日時である。「完了日時」は移転登録の処理が完了した日時である。
【０１１１】
また、関係者識別子格納部１１４は、図１０に示す関係者識別子管理表が格納される。ここでの関係者識別子管理表は、３つの関係者識別子を格納している。
【０１１２】
さらに、サーバ装置１の格納部１１には、同じ登録番号の最近の移転登録情報が有する「新所有者」の属性値を、新たな移転登録情報の「旧所有者」の属性値として設定する旨の情報（例えば、「新所有者，旧所有者」）が格納されている、とする。
【０１１３】
かかる状況において、以下の３つの具体的な動作について説明する。具体例１は、サーバ装置１で管理されている証明書情報を用いて、登録書類情報に対する処理を行う場合である。また、具体例１において、サイン画像を含む帳票が出力される場合を説明する。具体例２は、関係者識別子格納部１１４で管理されている関係者識別子を登録書類情報の中に含む場合であり、サイン画像を含まない帳票が出力される場合である。具体例３は、最近の移転登録情報の中の特定の属性の属性値を、当該属性値の属性とは異なる属性の属性値として含む画面情報を構成する場合である。
（具体例１）
【０１１４】
今、行政書士の「満島忠宏」氏は、自動車の登録のための登録書類情報を端末装置２の画面から入力した、とする。すると、端末装置２の端末受付部２２は、登録書類情報を受け付ける。なお。入力された登録書類情報は、旧所有者「山田太郎」を含む、とする。
【０１１５】
次に、端末処理部２３は、端末格納部２１に格納されている行政書士識別子「１００１」を読み出す。次に、端末処理部２３は、受け付けられた登録書類情報と読み出した行政書士識別子「１００１」とを含む入力情報を構成する。そして、端末送信部２４は、入力情報をサーバ装置１に送信する。
【０１１６】
次に、サーバ装置１の受信部１２は、行政書士識別子「１００１」を含む入力情報を端末装置２から受信する。
【０１１７】
次に、認証処理部１３２は、受信部１２が受信した入力情報が有する行政書士識別子「１００１」を取得する。
【０１１８】
次に、認証処理部１３２は、取得した行政書士識別子「１００１」を用いた認証処理を行う。つまり、認証処理部１３２は、行政書士識別子「１００１」が図８の行政書士情報管理表に格納されているか否かを判断する。行政書士識別子「１００１」は図８の行政書士情報管理表に格納されているので、認証処理部１３２は、認証許可を得る。
【０１１９】
次に、書類処理部１３４は、取得した行政書士識別子「１００１」に対応する証明書情報を図８の行政書士情報管理表から取得する。そして、書類処理部１３４は、証明書情報を取得できた、と判断する。
【０１２０】
次に、書類処理部１３４は、受信された入力情報から登録書類情報を取得する。そして、書類処理部１３４は、取得した証明書情報を用いて、取得した登録書類情報に対する処理を行う。ここでの処理とは、例えば、証明書情報を登録書類情報に付加し、当該情報を陸運局のサーバに送信する処理である。
【０１２１】
また、判断部１３３は、受信された登録書類情報から、特定の属性値である旧所有者「山田太郎」を取得する。
【０１２２】
次に、判断部１３３は、取得した旧所有者「山田太郎」が図１０の関係者識別子管理表に格納されていない、と判断する。
【０１２３】
次に、帳票構成手段１３４１は、受信された登録書類情報が有する行政書士識別子「１００１」と対になるサイン画像を図８の行政書士情報管理表から取得する。
【０１２４】
次に、帳票構成手段１３４１は、取得したサイン画像と、受信された登録書類情報とを用いて、サイン画像を含む帳票を構成する。ここで構成する帳票は、「手数料納付書」という帳票である。
【０１２５】
次に、送信部１４は、構成された帳票を行政書士「満島忠宏」氏の端末装置２に送信する。
【０１２６】
次に、署名処理部１３５は、登録書類情報に対して、上述した署名の処理を行う。つまり、署名処理部１３５は、予め決められたハッシュ関数を用いて、当該登録書類情報のハッシュ値を算出する。次に、署名処理部１３５は、算出したハッシュ値を、「満島忠宏」氏の証明書情報の秘密鍵を用いて暗号化する。次に、署名処理部１３５は、暗号化されたハッシュ値を、当該登録書類情報に対応付けて蓄積する。
【０１２７】
次に、行政書士「満島忠宏」氏の端末装置２の端末受信部２５は、サーバ装置１から帳票を受信する。そして、端末出力部２６は、端末受信部２５が受信した帳票を出力する。かかる帳票の例は、図１１である。図１１において、行政書士「満島忠宏」氏のサイン画像を含む。
（具体例２）
【０１２８】
本具体例において、行政書士の「満島忠宏」氏は、自動車の登録のための登録書類情報を端末装置２の画面から入力した、とする。すると、端末装置２の端末受付部２２は、登録書類情報を受け付ける。なお。入力された登録書類情報は、旧所有者「株式会社オートモビルマネジメント」を含む、とする。
【０１２９】
次に、端末装置２は、具体例１の処理と同様に、入力情報をサーバ装置１に送信する。
【０１３０】
次に、サーバ装置１の受信部１２は、行政書士識別子「１００１」を含む入力情報を端末装置２から受信する。
【０１３１】
次に、認証処理部１３２は、具体例１の処理と同様に、認証許可を得る。
【０１３２】
次に、書類処理部１３４は、具体例１の処理と同様に、取得した証明書情報を用いて、取得した登録書類情報に対する処理を行う。
【０１３３】
また、判断部１３３は、受信された登録書類情報から、特定の属性値である旧所有者「株式会社オートモビルマネジメント」を取得する。
【０１３４】
次に、判断部１３３は、取得した旧所有者「株式会社オートモビルマネジメント」が図１０の関係者識別子管理表に格納されている、と判断する。そのため、ここでは、帳票構成手段１３４１は、受信された登録書類情報が有する行政書士識別子「１００１」と対になるサイン画像を図８の行政書士情報管理表から取得しない。
【０１３５】
次に、帳票構成手段１３４１は、受信された登録書類情報を用いて、サイン画像を用いずに、帳票を構成する。ここで構成する帳票は、「手数料納付書」という帳票である。
【０１３６】
次に、送信部１４は、構成された帳票を行政書士「満島忠宏」氏の端末装置２に送信する。
【０１３７】
次に、署名処理部１３５は、当該登録書類情報に対して、具体例１で説明した処理と同様の署名処理を行う。
【０１３８】
次に、行政書士「満島忠宏」氏の端末装置２の端末受信部２５は、サーバ装置１から帳票を受信する。そして、端末出力部２６は、端末受信部２５が受信した帳票を出力する。かかる帳票の例は、図１２である。図１２において、行政書士「満島忠宏」氏のサイン画像を含まない。
（具体例３）
【０１３９】
今、登録番号「大阪３３３さ７７７」で識別される自動車を、株式会社ＷＷＰＰから、青木次郎が購入した、とする。
【０１４０】
そして、行政書士「田中和夫」は、登録番号「大阪３３３さ７７７」で識別される自動車の移転登録の手続きを承った、とする。
【０１４１】
そして、行政書士「田中和夫」は、端末装置２に対して、登録番号「大阪３３３さ７７７」を含む移転登録指示を入力した、とする。次に、端末装置２の端末受付部２２は、かかる移転登録指示を受け付ける。次に、端末処理部２３は、受け付けられた各種の情報を用いて、送信する移転登録指示を構成する。次に、端末送信部２４は、構成された移転登録指示をサーバ装置１に送信する。
【０１４２】
次に、サーバ装置１の受信部１２は、移転登録指示を受信する。そして、画面情報構成部１３１は、受信された移転登録指示が有する対象物識別子「大阪３３３さ７７７」を取得する。次に、画面情報構成部１３１は、対象物識別子「大阪３３３さ７７７」に対応する最新の移転登録情報を移転登録情報管理表から取得しようとする。この移転登録情報は、図９の移転登録情報管理表の「ＩＤ＝１０１」のレコードの情報である。
【０１４３】
次に、画面情報構成部１３１は、「ＩＤ＝１０１」のレコードの中の新所有者「株式会社ＷＷＰＰ」を取得する。
【０１４４】
次に、画面情報構成部１３１は、移転登録情報を入力するための画面を構成する画面元情報を画面元情報格納部１１１から取得する。そして、画面情報構成部１３１は、当該画面元情報に対して、取得した新所有者「株式会社ＷＷＰＰ」を旧所有者のフィールドに代入し、画面情報を構成する。
【０１４５】
次に、送信部１４は、構成された画面情報を端末装置２に送信する。この画面情報で構成される画面の、旧所有者のフィールドには「株式会社ＷＷＰＰ」が代入されている。
【０１４６】
次に、端末装置２の端末受信部２５は、サーバ装置１から、移転登録情報を入力するための画面を構成する画面情報を受信する。
【０１４７】
次に、端末出力部２６は、受信された画面情報を用いて、画面を構成し、出力する。
【０１４８】
そして、行政書士「田中和夫」は、当該画面から、自動車の移転登録に必要な情報を入力する。そして、端末装置２からサーバ装置１に、自動車の移転登録に必要な情報である移転登録情報が送信され、登録のための処理が行われる。
【０１４９】
以上、本実施の形態によれば、行政書士を証明する証明書情報を管理し、利用することにより、簡易かつ適切に行政書士業務を遂行するプラットフォームを提供できる。
【０１５０】
また、本実施の形態によれば、特定の関係者の登録書類情報を処理する場合と、一般の登録書類情報を処理する場合とで、適切な異なる帳票を自動的に構成できる。
【０１５１】
さらに、本実施の形態によれば、容易に対象物の移転登録の書類が作成できる。
【０１５２】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態におけるサーバ装置１を実現するソフトウェアは、以下のようなプログラムである。つまり、このプログラムは、コンピュータがアクセス可能な記録媒体は、行政書士を識別する行政書士識別子と行政書士を証明する証明書情報とを有する１または２以上の行政書士情報を格納する行政書士情報格納部を具備し、コンピュータを、行政書士の端末装置から行政書士識別子と登録対象の書類の情報である登録書類情報とを有する入力情報を受信する受信部と、前記受信部が受信した入力情報が有する行政書士識別子を用いた認証処理を行う認証処理部と、前記認証処理部における認証の結果が認証許可である場合に、前記受信部が受信した行政書士識別子と対になる証明書情報を用いて、前記受信部が受信した登録書類情報に対する処理を行う書類処理部として機能させるためのプログラムである。
【０１５３】
上記プログラムにおいて、前記書類処理部は、前記登録書類情報を用いて帳票を構成する帳票構成手段を具備し、コンピュータを、前記帳票構成手段が構成した帳票を前記端末装置に送信する帳票送信部としてさらに機能させ、記録媒体は、登録書類情報に対応する書類に関与する関係者を識別する１以上の関係者識別子が格納される関係者識別子格納部をさらに具備し、コンピュータを、前記受信部が受信した登録書類情報の中に含まれる関係者識別子を取得し、当該関係者識別子が前記関係者識別子格納部に格納されているか否かを判断する判断部としてさらに機能させ、前記判断部が、前記関係者識別子が前記関係者識別子格納部に格納されていると判断した場合と、前記関係者識別子が前記関係者識別子格納部に格納されていないと判断した場合とで、前記帳票構成手段が構成する帳票の内容が異なるものとして、コンピュータを機能させるプログラムであることは好適である。
【０１５４】
上記プログラムにおいて、前記判断部が、前記関係者識別子が前記関係者識別子格納部に格納されていると判断した場合には、前記帳票構成手段は行政書士のサイン画像を含まない帳票を構成し、前記関係者識別子が前記関係者識別子格納部に格納されていないと判断した場合には、前記帳票構成手段は行政書士のサイン画像を含む帳票を構成するものとして、コンピュータを機能させるプログラムであることは好適である。
【０１５５】
上記プログラムにおいて、前記行政書士情報は、行政書士のサイン画像を構成する情報を有するものとして、コンピュータを機能させるプログラムであることは好適である。
【０１５６】
上記プログラムにおいて、前記受信部は、対象物の移転登録の情報入力の指示であり、移転登録の対象物を識別する対象物識別子を含む指示である移転登録指示を端末装置から受信し、記録媒体は、対象物の移転登録の情報であり、対象物識別子を含む１以上の移転登録情報が格納される移転登録情報格納部を具備し、コンピュータを、前記移転登録指示が有する対象物識別子に対応する移転登録情報であり、最近の移転登録情報が有する予め決められた属性値を取得し、当該属性値を、当該属性値の属性とは異なる属性の属性値として含む画面情報を構成する画面情報構成部と、前記画面情報を前記端末装置に送信する画面情報送信部としてさらに機能させるものとして、コンピュータを機能させるプログラムであることは好適である。
【０１５７】
また、図１３は、本明細書で述べたプログラムを実行して、上述した種々の実施の形態のサーバ装置１等を実現するコンピュータの外観を示す。上述の実施の形態は、コンピュータハードウェア及びその上で実行されるコンピュータプログラムで実現され得る。図１３は、このコンピュータシステム３００の概観図であり、図１４は、システム３００のブロック図である。
【０１５８】
図１３において、コンピュータシステム３００は、ＣＤ−ＲＯＭドライブを含むコンピュータ３０１と、キーボード３０２と、マウス３０３と、モニタ３０４とを含む。
【０１５９】
図１４において、コンピュータ３０１は、ＣＤ−ＲＯＭドライブ３０１２に加えて、ＭＰＵ３０１３と、ＣＤ−ＲＯＭドライブ３０１２等に接続されたバス３０１４と、ブートアッププログラム等のプログラムを記憶するためのＲＯＭ３０１５と、ＭＰＵ３０１３に接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０１６０】
コンピュータシステム３００に、上述した実施の形態のサーバ装置１等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０１６１】
プログラムは、コンピュータ３０１に、上述した実施の形態のサーバ装置１等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０１６２】
なお、上記プログラムにおいて、情報を送信するステップや、情報を受信するステップなどでは、ハードウェアによって行われる処理、例えば、送信ステップにおけるモデムやインターフェースカードなどで行われる処理（ハードウェアでしか行われない処理）は含まれない。
【０１６３】
また、上記プログラムを実行するコンピュータは、単数であってもよく、複数であってもよい。すなわち、集中処理を行ってもよく、あるいは分散処理を行ってもよい。
【０１６４】
また、上記各実施の形態において、一の装置に存在する２以上の通信手段は、物理的に一の媒体で実現されても良いことは言うまでもない。
【０１６５】
また、上記各実施の形態において、各処理は、単一の装置によって集中処理されることによって実現されてもよく、あるいは、複数の装置によって分散処理されることによって実現されてもよい。
【０１６６】
本発明は、以上の実施の形態に限定されることなく、種々の変更が可能であり、それらも本発明の範囲内に包含されるものであることは言うまでもない。
【産業上の利用可能性】
【０１６７】
以上のように、本発明にかかるサーバ装置は、行政書士を証明する証明書情報を管理し、利用することにより、簡易かつ適切に行政書士業務を遂行するプラットフォームを提供できるという効果を有し、サーバ装置等として有用である。
【符号の説明】
【０１６８】
１  サーバ装置
２  端末装置
１１  格納部
１２  受信部
１３  処理部
１４  送信部
２１  端末格納部
２２  端末受付部
２３  端末処理部
２４  端末送信部
２５  端末受信部
２６  端末出力部
１１１  画面元情報格納部
１１２  行政書士情報格納部
１１３  移転登録情報格納部
１１４  関係者識別子格納部
１３１  画面情報構成部
１３２  認証処理部
１３３  判断部
１３４  書類処理部
１４１  画面情報送信部
１４２  帳票送信部
１３４１  帳票構成手段
【図１】
2018025853.tif 000003
【図２】
2018025853.tif 000004
【図３】
2018025853.tif 000005
【図４】
2018025853.tif 000006
【図５】
2018025853.tif 000007
【図６】
2018025853.tif 000008
【図７】
2018025853.tif 000009
【図８】
2018025853.tif 000010
【図９】
2018025853.tif 000011
【図１０】
2018025853.tif 000012
【図１１】
2018025853.tif 000013
【図１２】
2018025853.tif 000014
【図１３】
2018025853.tif 000015
【図１４】
2018025853.tif 000016